(57)【特許請求の範囲】
【請求項１】
配管部材を識別するための銘板であって、
前記銘板の本体の表面及び裏面に夜光塗料層が形成されており、
前記夜光塗料層は、異なる発光色の夜光塗料が重畳的に塗布されることによって形成されることを特徴とする銘板。
【請求項２】
前記銘板が配置される前記配管部材の種類に応じて、前記銘板の外形形状が規定されることを特徴とする請求項１に記載の銘板。
【請求項３】
請求項１又は請求項２のいずれかの銘板を備える電力設備。
【請求項４】
複数の前記銘板を備える請求項３に記載の電力設備。
【請求項５】
夜間において予め規定した時間間隔で、前記銘板に対して光を照射する照射ランプを有することを特徴とする請求項３又は請求項４のいずれかに記載の電力設備。
【発明の詳細な説明】
【技術分野】
【０００１】
本発明は、電力設備等の配管に配置されるバルブ等を識別するための銘板、及び、銘板を供えた電力設備に関する。
【背景技術】
【０００２】
図８に示すように、例えば、火力発電所においては、蒸気等を通過させるための多数の配管１００Ａ乃至１００Ｅが配置されている。そして、各配管１００Ａ等には、それぞれバルブ１０２Ａ乃至１０２Ｅ、１０４Ａ乃至１０４Ｅ、及びポンプ１０６Ａ乃至１０６Ｅが配置されている。
【０００３】
なお、配管１００Ａ等は、それぞれ多数存在するが、図示を省略している。また、配管１００Ａ等には、バルブ１０２Ａ等やポンプ１０６Ａ等のほかにも、トラップやストレーナ等の配管用の部材（以下、「配管部材」と呼ぶ）が配置されているが図示を省略する。
【０００４】
発電所においては、配管部材に不具合があると大事故につながるため、不具合が生じた場合には、その配管部材の交換等、適切な対処が必要である。
【０００５】
これに対して、配管部材の一種であるドレントラップの温度を監視することで、ドレントラップの不具合を判定する技術が提案されている（特許文献１）。
【０００６】
しかし、中央制御室で、特定の配管部材の不具合を認識したとしても、配管は複雑に入り組んでいるから、現場に行って作業者が不具合が生じている配管部材を発見できない場合がある。また、作業者が、誤って、不具合が生じていない配管部材を交換した場合には、不具合が生じている配管部材がそのまま残存する。
【０００７】
これに対して、図８に示すように、バルブ１０２Ａ等には、配管部材を識別するための銘板１０８が針金で取り付けられている。
【０００８】
銘板には、例えば、「ＡＡＡ２２２」という識別番号、「ＢＢタンク」等の主装置の名称、及び、「ＣＣポンプ前弁」という銘板を配置される場所を金属板に刻むことで、銘板が配置されている配管部材を識別することができるようになっている。
【特許文献１】特開平８−９３９９５号
【発明の開示】
【発明が解決しようとする課題】
【０００９】
しかし、電力設備は休みなく稼動する必要があるから、夜間であっても、配管部材の不具合に対処する必要がある。そして、大規模な電力設備においては、そのすべての配管部材に照明を当て続けることもできない。さらに、電力設備においては配管が複雑に入り組んでいるから、特に夜間には、何らかの処理をほどこすべき配管部材を発見できない場合がある。
【００１０】
本発明は、上述した課題に鑑みてなされたものであり、夜間であっても、処理すべき配管部材を発見することを容易にする銘板及び、銘板を備えた電力設備を提供することを目的とする。
【課題を解決するための手段】
【００１１】
具体的には、本発明は以下のものを提供する。
【００１２】
（１）  配管部材を識別するための銘板であって、前記銘板の本体の表面及び裏面に夜光塗料層が形成されており、前記夜光塗料層は、異なる発光色の夜光塗料が重畳的に塗布されることによって形成されることを特徴とする銘板。
【００１３】
（１）の発明によれば、銘板の本体の表面及び裏面には夜光塗料が塗布されているから、夜間であっても、容易に処理対象の配管部材に配置されている銘板を発見することができる。
【００１７】
また、経時劣化によって夜光塗料が剥がれ落ちると、下層の夜光塗料が露出し、異なる発光色で発光する。そして、夜光塗料が経時劣化によって剥がれ落ちるということは、その銘板が配置された配管部材も経時劣化していることを意味する。
【００１８】
このため、銘板の発光色の変化によって、銘板が配置されている配管部材の劣化を判断することができる。
【００１９】
（２）  前記銘板が配置される前記配管部材の種類に応じて、前記銘板の外形形状が規定されることを特徴とする（１）に記載の銘板。
【００２０】
（２）の発明によれば、銘板に記載された文字を読むことなく銘板が配置されている配管部材の種類を認識することができる。
【００２１】
（３）  （１）又は（２）のいずれかの銘板を備える電力設備である。
【００２２】
（３）の発明によれば、電力設備において、夜間であっても、容易に処理対象の配管部材に配置された銘板を発見することができる。
【００２３】
（４）  複数の前記銘板を備える（３）に記載の電力設備である。
【００２４】
（４）の発明によれば、夜間であっても、複数の前記銘板のなかから、容易に処理対象の配管部材が配置された銘板を発見することができる。
【００２５】
（５）  夜間において予め規定した時間間隔で、前記銘板に対して光を照射する照射ランプを有することを特徴とする（３）又は（４）のいずれかに記載の電力設備である。
【００２６】
（５）の発明によれば、夜間において、銘板に塗布した夜光塗料が蓄光するための光を予め規定した時間間隔で照射することができる。
【００２７】
このため、夜間において夜光塗料が連続的に発光することを確保することができる。
【発明の効果】
【００２８】
本発明によれば、夜間であっても、処理すべき配管部材を発見することを容易にすることができる。
【発明を実施するための最良の形態】
【００２９】
以下、本発明の実施形態の一例について、添付した図面を参照しながら、具体的に説明する。
【００３０】
［参考例］
図１は、本発明の参考例の銘板１０を示す概略斜視図である。
【００３１】
なお、本参考例以降の説明では、同じ部材の場合には同じ符号を付すとともに、すでに説明した部材の説明は省略する。
【００３２】
図１に示す銘板１０は、本体１２と、中間リング１６及び固定用針金１８から構成されている。本体１２には、孔１４が形成されており、中間リング１６を配置することができるようになっている。
【００３３】
図２は、図１の銘板１０のＡ−Ａ線概略断面図である。
【００３４】
図２に示すように、本体１２の表面及び裏面には、夜光塗料Ｓが塗布されて、夜光塗料の層１２ｂ（以下、「塗料層１２ｂ」と呼ぶ）が形成されている。
【００３５】
すなわち、本体１２は、金属板１２ａとその表面及び裏面の塗料層１２ｂから構成されている。
【００３６】
図３は、夜光塗料Ｓの説明図である。
【００３７】
夜光塗料Ｓは、例えば、根元特殊化学社製の「ルミノーバ」（登録商標：「ＬＵＭＩＮＯＶＡ／ルミノーバ」）である。
【００３８】
図３は、根元特殊化学社のホームページから抜粋した資料に基いて作成した図である。
【００３９】
夜光塗料Ｓは、蓄光性材料であり、図３（ａ）に示すように、品番によって緑色、青色又は紫色の発光色を有する。
【００４０】
図４は、銘板１０を示す概略図である。
【００４１】
図４（ａ）乃至（ｃ）に示すように、銘板１０が配置される配管部材の種類によって、発光色が規定されている。
【００４２】
例えば、図４（ａ）に示すようにバルブ（弁）用の銘板１０には緑色の発光色の夜光塗料Ｓが塗布され、図４（ｂ）に示すようにポンプ用の銘板１０には青色の夜光塗料Ｓが塗布され、図４（ｃ）に示すようにトラップ用の銘板１０には紫色の夜光塗料Ｓが塗布される。
【００４３】
また、銘板１０が配置される配管部材の種類によって本体１２の外形形状が規定されている。
【００４４】
例えば、図４（ａ）に示すようにバルブ用の本体１２は五角形であり、図４（ｂ）に示すようにポンプ用の本体１２は三角形であり、図４（ｃ）に示すようにトラップ用の本体１２は円形である。
【００４５】
図５は、電力設備２０の配管の配管部材に銘板１０が配置されている様子を示す害略図である。
【００４６】
銘板１０の針金１８が、バルブ１０６の非可動部分に掛けられることによって、銘板１０がバルブ１０６に配置されている。
【００４７】
図５のように、密集状態で多数の銘板１０が存在しても、配管部材の種類によって、発光色及び外形形状が規定されているから、探している配管部材を他の種類の配管部材と区別して、迅速に発見することができる。
【００４８】
夜光塗料Ｓは、長時間の発光が可能であるが、図３（ｂ）に示すように、時間経過に従って、残光輝度が低下する。電力設備の不具合には迅速に対処する必要があるから、残光輝度はできるだけ明るく維持する必要がある。
【００４９】
この残光輝度の低下に対処するために、電力設備２０は、ランプ２２を有する。ランプ２２は、夜間において、予め規定した時間間隔で、多数の銘板１０を照射するようになっている。ランプ２２は、例えば、１時間（ｈ）おきに１０秒（ｓ）間だけ照射するようになっている。
【００５０】
これにより、銘板１０の夜光塗料Ｓが塗布された塗料層１２ｂは、定期的に蓄光することができ、夜間において、連続的に一定以上の輝度で連続的に発光することができる。
【００５１】
なお、本参考例とは異なり、中間リング１６及び固定用針金１８の少なくとも一方にも、夜光塗料Ｓを塗布するようにしてもよい。
【００５２】
［実施形態］
図６及び図７を参照して、本発明の実施形態について説明する。
【００５３】
図６は、本実施形態の銘板１０Ａの概略図である。図６（ａ）は、銘板１０Ａの概略斜視図である。図６（ｂ）は、図６（ａ）のＡ−Ａ断面図である。
【００５４】
図６（ｂ）に示すように、銘板１０Ａは金属板１２ａに対して、夜光塗料Ｓが重畳的に塗布されている。具体的には、金属板１２ａに対して、第１の塗料層１２ｂａが塗布され、第１の塗料層１２ｂａに対して第２の塗料層１２ｂｂが塗布され、第２の塗料層１２ｂｂに対して第３の塗料層１２ｂｃが塗布されている。各塗料層は、発光色が異なる。
【００５５】
例えば、第１の塗料層１２ｂａの発光色は紫色であり、第２の塗料層１２ｂｂの発光色は青色であり、第３の塗料層１２ｂｃの発光色は緑色である。
【００５６】
図７は、銘板１０Ａ等を示す概略図である。
【００５７】
銘板１０Ａには、夜光塗料Ｓが重畳的に塗布されているから、経時劣化によって、次第に上層の夜光塗料Ｓが乖離し、下層の夜光塗料Ｓが露出する。
【００５８】
例えば、図７（ａ）に示すように、銘板１０Ａをバルブ１０６に配置した直後は、第３の塗料層１２ｂｃが表面であり、夜間には緑色に発光する。
【００５９】
そして、時間経過に伴って、第３の塗料層１２ｂｃは剥離し、図７（ｂ）に示すように、第２の塗料層１２ｂｂが露出し、青色に発光する。
【００６０】
さらに、時間が経過すると、第２の塗料層１２ｂｂは剥離し、図７（ｃ）に示すように、第２の塗料層１２ｂｂが露出し、紫色に発光する。
【００６１】
上述のように、間時劣化によって、銘板１０Ａの発光色が変化する。
【００６２】
そして、銘板１０Ａが経時劣化するということは、銘板１０Ａが配置されている配管部材も経時劣化することを意味する。
【００６３】
すなわち、図７（ａ）から図７（ｂ）の状態を経て、図７（ｃ）の状態になるときには、銘板１０Ａとともにバルブ１０６も経時劣化するのである。
【００６４】
そして、同じ種類の配管部材であるとしても、電力設備２０全体の位置等によって、環境温度や風雨の当たり方が異なるから、経時劣化の程度は異なる。
【００６５】
この点、銘板１０Ａは経時劣化によって発光色が変化するから、銘板１０Ａの発光色の変化によって、実際の環境における配管部材の経時劣化を判断することができる。
【００６６】
しかも、通常は配管部材の経時劣化が発見することが困難な夜間において、容易に配管部材の経時劣化を判断することができる。これにより、配管部材の経時劣化を原因とする電力設備の事故を夜間において防止することができる。
【００６７】
本発明によれば、夜間であっても、処理すべき配管部材を発見することを容易にすることができる。
【図面の簡単な説明】
【００６８】
【図１】本発明の参考例の銘板を示す概略斜視図である。
【図２】銘板の概略断面図である。
【図３】夜光塗料の説明図である。
【図４】銘板を示す図である。
【図５】銘板等を示す図である。
【図６】本発明の実施形態の銘板を示す概略斜視図である。
【図７】銘板等を示す図である。
【図８】配管部材等を示す図である。
【符号の説明】
【００６９】
１０，１０Ａ・・・銘板、１２・・・本体、１２ａ・・・金属板、１２ｂ・・・塗料層
【図１】
0004948428.tif 000002
【図２】
0004948428.tif 000003
【図３】
0004948428.tif 000004
【図４】
0004948428.tif 000005
【図５】
0004948428.tif 000006
【図６】
0004948428.tif 000007
【図７】
0004948428.tif 000008
【図８】
0004948428.tif 000009